(57)【特許請求の範囲】
【請求項１】
電子タグに記憶されたデータを読取る電子タグリーダを有し、この電子タグリーダで前記電子タグから読取った電子タグデータに基づいて当該電子タグが付された商品の販売データを処理する商品販売データ処理装置において、
複数の電子タグデータを記憶保持可能な電子タグデータ記憶手段と、
複数の商品販売データを記憶保持可能な商品アイテム記憶手段と、
前記電子タグリーダで前記電子タグから読取った電子タグデータと同一のデータが前記電子タグデータ記憶手段に記憶されているか否かを判断するデータ有無判断手段と、
このデータ有無判断手段により同一データが記憶されていないと判断されると、前記電子タグから読取った前記電子タグデータを前記電子タグデータ記憶手段に追加し、同一データが記憶されていると判断されると、前記電子タグから読取った前記電子タグデータを前記電子タグデータ記憶手段に追加しない電子タグデータ処理手段と、
商品の入力モードと入力済商品の取消モードとを切換えるモード切換手段と、
前記入力モードから前記取消モードに切換えられたことに応じて前記電子タグデータ記憶手段に記憶されている電子タグデータをクリアする電子タグデータクリア手段と、
前記入力モードが選択されていることを条件に、前記電子タグデータ処理手段により前記電子タグデータ記憶手段に追加された電子タグデータを基に商品販売データを取得し前記商品アイテム記憶手段に追加する商品販売データ追加手段と、
前記取消モードが選択されていることを条件に、前記電子タグデータ処理手段により前記電子タグデータ記憶手段に追加された電子タグデータを基に得られる商品販売データを前記商品アイテム記憶手段から取消処理する商品販売データ取消手段と、
を具備したことを特徴とする商品販売データ処理装置。
【請求項２】
１商取引の締めを宣言する締め宣言手段と、
この締め宣言手段により１商取引の締めが宣言されると、前記商品アイテム記憶手段に記憶された商品販売データに基づいて当該１商取引を決済させる締め処理手段と、
この締め処理手段により前記商取引が決済された後に前記商品アイテム記憶手段に記憶されている商品販売データをクリアする商品販売データクリア手段と、
をさらに具備したことを特徴とする請求項１記載の商品販売データ処理装置。
【請求項３】
前記商品販売データ取消手段は、前記電子タグデータ処理手段により前記電子タグデータ記憶手段に追加された電子タグデータを基に得られる商品販売データを表示し、確認操作がなされると当該商品販売データを前記商品アイテム記憶手段から取消処理することを特徴とする請求項１記載の商品販売データ処理装置。
【請求項４】
商品の取消を宣言する取消宣言手段を備え、
前記モード切換手段は、初期モードを入力モードとし、前記取消宣言手段により取消が宣言されると取消モードに切換え、前記締め宣言手段により１商取引の締めが宣言されると入力モードに戻すことを特徴とする請求項２記載の商品販売データ処理装置。
【発明の詳細な説明】
【技術分野】
【０００１】
本発明は、電子タグに記憶されたデータを非接触で読取る電子タグリーダを有し、この電子タグリーダで電子タグから読取った電子タグデータに基づいて当該電子タグが付された商品の販売データを処理する商品販売データ処理装置に関する。
【背景技術】
【０００２】
近年、流通業界においては、電子タグを利用したチェックアウトシステムの開発が進められている。このシステムは、各商品に電子タグをそれぞれ付し、その電子タグのメモリに、当該電子タグが付されている商品を特定するための商品コードなどの商品データを記憶させる。また、ＰＯＳ（Point Of Sales）端末等の商品販売データ処理装置に電子タグリーダを接続し、この電子タグリーダのアンテナをチェックアウトカウンタの近傍に設ける。かくして、客が買上商品を会計のためにチェックアウトカウンタに載せると、各商品にそれぞれ付されている電子タグのデータが電子タグリーダによって読取られ、商品販売データ処理装置に送られるので、商品販売データ処理装置は、電子タグリーダから受信した電子タグデータに基づいて、当該電子タグが付された商品の販売データを処理するというものである。
【０００３】
この種のチェックアウトシステムに用いられる商品販売データ処理装置において、従来、電子タグデータの二重読取防止機能を備えたものはあった。すなわち、電子タグデータから得られる商品コードとシリアルナンバーとを対にして記憶可能なメモリエリアを有する。そして、電子タグリーダから電子タグデータを受信する毎に、その電子タグデータ中の商品コードとシリアルナンバーが上記メモリエリアに記憶されているか否かをチェックする。ここで、商品コードとシリアルナンバーの両方が上記メモリエリアに記憶されている場合には、既に読取った電子タグのデータであるのでそれを破棄する。これに対し、いずれか一方が異なる場合には、新たな商品に付された電子タグのデータであるので、そのデータ中の商品コードとシリアルナンバーとをメモリエリアに追加する。そして、メモリエリアに追加された商品コードに基づいて商品販売データを処理する。その後、１商取引の登録締めが指示されると、次客との商取引に備えるためにメモリエリアに記憶されたデータをクリアする。ただし、既に決済を終えた前客の商品が誤って次客の買上商品として再登録されることを防止するため、決済を終えた客が所定距離離れるまでメモリエリアのデータが保持されるように制御していた（例えば、特許文献１参照）。
【特許文献１】特許第３３７３８６０号公報
【発明の開示】
【発明が解決しようとする課題】
【０００４】
ところで、客が買上商品をチェックアウトカウンタに載せた後でその中の一部の商品の購入を取止めることを申し出る場合がある。このような場合、その商品に付された電子タグデータは既に電子タグリーダによって読取られ、商品販売データ処理装置に送られているので、店員は以下に示す手順の作業を行うこととなる。
【０００５】
先ず、チェックアウトカウンタから客の買上商品を全て退ける。次に、既に読取られた電子タグデータの商品コードとシリアルナンバーとが記憶されたメモリエリアをクリアするためのキー操作を行う。しかる後、客買上商品の中から客が購入を取り止めた商品を取り除いたならば、客買上商品を再度チェックアウトカウンタに載せて、電子タグデータを再読込みさせる。
【０００６】
このように、既に電子タグデータが読取られた客買上商品のうち一部の商品の購入が取り止められた場合には、実際に購入する商品の電子タグデータを再読込みさせる必要があった。このため、電子タグデータの再読込みにかかる分だけ処理効率が低下するという問題があった。
【０００７】
本発明はこのような事情に基づいてなされたもので、その目的とするところは、電子タグデータの二重読取防止機能を備えたものにおいて、電子タグデータが読取られた客買上商品のうち一部の商品の購入取止めを効率よく処理できる商品販売データ処理装置を提供しようとするものである。
【課題を解決するための手段】
【０００８】
本発明は、電子タグに記憶されたデータを読取る電子タグリーダを有し、この電子タグリーダで電子タグから読取った電子タグデータに基づいて当該電子タグが付された商品の販売データを処理する商品販売データ処理装置において、複数の電子タグデータを記憶保持可能な電子タグデータ記憶手段と、複数の商品販売データを記憶保持可能な商品アイテム記憶手段と、電子タグリーダで電子タグから読取った電子タグデータと同一のデータが電子タグデータ記憶手段に記憶されているか否かを判断するデータ有無判断手段と、このデータ有無判断手段により同一データが記憶されていないと判断されると、電子タグから読取った電子タグデータを電子タグデータ記憶手段に追加し、同一データが記憶されていると判断されると、電子タグから読取った電子タグデータを電子タグデータ記憶手段に追加しない電子タグデータ処理手段と、商品の入力モードと入力済商品の取消モードとを切換えるモード切換手段と、入力モードから取消モードに切換えられたことに応じて電子タグデータ記憶手段に記憶されている電子タグデータをクリアする電子タグデータクリア手段と、入力モードが選択されていることを条件に、電子タグデータ処理手段により電子タグデータ記憶手段に追加された電子タグデータを基に商品販売データを取得し商品アイテム記憶手段に追加する商品販売データ追加手段と、取消モードが選択されていることを条件に、電子タグデータ処理手段により電子タグデータ記憶手段に追加された電子タグデータを基に得られる商品販売データを商品アイテム記憶手段から取消処理する商品販売データ取消手段とを備えたものである。
【発明の効果】
【０００９】
かかる手段を講じた本発明によれば、電子タグデータの二重読取防止機能を備えたものにおいて、電子タグデータが読取られた客買上商品のうち一部の商品の購入取止めを効率よく処理できる商品販売データ処理装置を提供できる。
【発明を実施するための最良の形態】
【００１０】
図１は本発明に係る商品販売データ処理装置の一実施形態を示す模式図である。同図において、符号１はＰＯＳ（Point Of Sales）端末、２は電子タグリーダ、３はタグアンテナ板を示す。タグアンテナ板３には、電子タグリーダ２の一部として、電子タグとの間で電磁界あるいは電波の送受信を行うアンテナ４が取り付けられている。
【００１１】
電子タグリーダ２は、アンテナ４の交信領域内に存在する電子タグと非接触で交信し、当該電子タグのメモリに記憶されている電子タグデータを読取るもので、アンチコリジョン方式という衝突防止機能を有している。この機能により、タグアンテナ板３の上に買い物籠等の収容体５に収容された１商取引分の客買上商品６Ａ，６Ｂ，６Ｃ，…が置かれると、これら商品６Ａ，６Ｂ，６Ｃ，…にそれぞれ付されている電子タグ７Ａ，７Ｂ，７Ｃ，…のデータが電子タグリーダ２によって一括して読取られる。そして、電子タグリーダ２で読取られた電子タグデータは、ＰＯＳ端末１に順次送信される。ＰＯＳ端末１では、電子タグリーダ２が電子タグ７Ａ，７Ｂ，７Ｃ，…から読取った電子タグデータに基づいて、当該電子タグが付された商品６Ａ，６Ｂ，６Ｃ，…の販売データを処理するものとなっている。なお、各商品６Ａ，６Ｂ，６Ｃ，…は、必ずしも収容体５に収容されていなくてもよい。また、電子タグリーダ２は、電子タグへのデータ書込み機能を有した電子タグリーダライタであってもよい。
【００１２】
電子タグ７Ａ，７Ｂ，７Ｃ，…は、無線タグ，ＲＦＩＤ（Radio Frequency Identification），ＩＣタグ等とも称され、既に実用化されているものである。そして、本実施の形態では、商品６Ａ，６Ｂ，６Ｃ，…にそれぞれ付されている電子タグ７Ａ，７Ｂ，７Ｃ，…を商品タグと称する。商品タグのメモリには、例えばタグ製造時に設定されるシリアルナンバー等のタグ固有のＩＤコードと、当該商品タグが付されている商品を特定するための商品コードが少なくとも格納されている。
【００１３】
図２はＰＯＳ端末１の要部構成を示すブロック図である。このＰＯＳ端末１は、商品販売データ処理装置の一態様であり、制御部本体としてＣＰＵ（Central Processing Unit）１１を搭載している。また、プログラム等の固定的データが予め格納されたＲＯＭ（Read Only Memory）１２、入力データ，演算処理データ等の可変的データを記憶するための種々のメモリエリアが形成されるＲＡＭ（Random Access Memory）１３、現在の日時を計時する時計部１４、オンライン接続されたストアサーバとの間で行うデータ通信を制御する通信コントローラ１５、前記電子タグリーダ２が電気的に接続される電子タグリーダインターフェイス１６、キーボード１７の操作キーに対応したキー信号を取り込むキーボードコントローラ１８、オペレータ用ディスプレイ１９の画面表示を制御する第１の表示コントローラ２０、客用ディスプレイ２１の画面表示を制御する第２の表示コントローラ２２、レシート印字等を行うプリンタ２３の印字動作を制御するプリンタコントローラ２４、現金等を収容するためのドロワ２５とデータ読取音などを発するブザー２６とにそれぞれ駆動信号を出力するＩ／Ｏ（Input/Output）ポート２７等を備えている。そしてＣＰＵ１１と、ＲＯＭ１２，ＲＡＭ１３，時計部１４，通信コントローラ１５，電子タグリーダインターフェイス１６，Ｉ／Ｏポート２７及び各種入出力機器のコントローラ１８，２０，２２，２４とを、アドレスバス，データバス等のバスライン２８で接続している。
【００１４】
キーボード１７には、１商取引の締めを宣言する締め宣言手段としての締めキー３１と、処理中の１商取引で販売商品として登録済である商品、すなわち電子タグデータが読取られた商品の取消を宣言する取消宣言手段としての取消キー３２とを少なくとも設けている。
【００１５】
ＲＡＭ１３には、複数の商品販売データを記憶保持可能な商品アイテムバッファ記憶手段としての商品アイテムバッファ４１と、複数の電子タグデータを記憶保持可能な電子タグデータ記憶手段としての電子タグデータバッファ４２と、商品の入力モードのとき“０”にリセットされ、入力済商品の取消モードになると“１”にセットされる取消フラグのメモリ４３とを少なくとも形成している。
【００１６】
商品アイテムバッファ４１は、図３に示すように、商品コード，商品名，単価，売上点数及び売上金額の各項目からなる商品販売データを複数記憶するためのエリアと、売上点数及び売上金額の合計データを記憶するためのエリアと、取消情報を記憶するエリアとを有している。
【００１７】
電子タグデータバッファ４２は、図４に示すように、一定数Ｎ（Ｎ＞１）のエリア番号に対応して電子タグデータを記憶するためのエリアを有している。この電子タグデータバッファ４２は、エリア番号１のエリアから順に電子タグデータを記憶保持し、エリア番号Ｎのエリアまで電子タグデータが記憶保持されると、それ以後の電子タグデータをエリア番号１のエリアから順に上書きするようになっている。
【００１８】
かかる構成のＰＯＳ端末１は、電源投入によりシステムが立ち上がると、ＣＰＵ１１が図５及び図６の流れ図に示す手順の制御処理を実行する。すなわちＣＰＵ１１は、ＳＴ（ステップ）１として電子タグリーダインターフェイス１６を介して接続された電子タグリーダ２に起動を指令する。また、ＳＴ２として前記取消フラグを“０”にリセットする。すなわち、動作開始時の初期モードを入力モードとする。
【００１９】
電子タグリーダ２は、ＰＯＳ端末１からの起動指令に応じて、電子タグを読取るための読取信号を変調し、この変調電波をアンテナ４から連続して発信する。そして、電子タグからの応答電波をアンテナ４で受信するのを待機する。応答電波を受信すると、その電波を復調し、応答データつまりは電子タグのメモリに記憶されている電子タグデータをＰＯＳ端末１に送信するものとなっている。
【００２０】
そこでＣＰＵ１１は、ＳＴ３として電子タグデータを受信するのを待機している。電子タグリーダ２から電子タグデータを受信すると（ＳＴ３のＹＥＳ）、ＳＴ４として電子タグデータバッファ４２を検索する。そして、受信した電子タグデータと同一のデータが電子タグデータバッファ４２に記憶されているか否かを判断する（データ有無判断手段）。この判断処理は、受信した電子タグデータに含まれるタグ固有のＩＤコードで電子タグデータバッファ４２を検索し、同一のＩＤコードを含む電子タグデータの有無を判断するものであり、記憶されている場合には同一データ有りと判断し、記憶されていない場合には同一データ無しと判断する。その結果、同一データ有りと判断した場合には（ＳＴ５のＹＥＳ）、ＣＰＵ１１は、ＳＴ６として受信した電子タグデータを電子タグデータバッファ４２に追加せず、破棄する。しかる後、ＳＴ３の処理に戻り、次の電子タグデータを受信するのを待機する。これに対し、同一データ無しと判断した場合には（ＳＴ５のＮＯ）、ＳＴ７として受信した電子タグデータを電子タグデータバッファ４２に追加する（電子タグデータ処理手段）。
【００２１】
次に、ＣＰＵ１１は、ＳＴ８として電子タグデータバッファ４２に追加された電子タグデータが、各商品にそれぞれ付されている商品タグのデータか否かを判断する。ここで、商品タグから読取った電子タグデータでない場合には、ＳＴ３の処理に戻り、次の電子タグデータを受信するのを待機する。
【００２２】
一方、受信した電子タグデータが商品タグから読取った電子タグデータ、つまりＩＤコードとともに商品コードを含むデータであった場合には、ＣＰＵ１１は、ＳＴ９として取消フラグを調べる。
【００２３】
ここで、取消フラグが“０”にリセットされていた場合には、入力モードが選択されているので、ＣＰＵ１１は、ＳＴ１０としてその電子タグデータに含まれる商品コードに基づいて商品名，単価等の商品データを取得する。すなわちＰＯＳ端末１は、各商品の商品コードに対応して商品名，単価等の商品データがプリセットされた商品データファイルを備えており、ＣＰＵ１１は、電子タグデータから取得した商品コードで商品データファイルを検索して、当該商品コードに対応して設定されている商品名及び単価の商品データを取得する。なお、商品タグのメモリに商品コードと共に商品名，単価等の商品データも記憶するようにして、商品データファイルを省略することも可能である。
【００２４】
ＣＰＵ１１は、商品コード，商品名，単価等の商品データを取得すると、次に、ＳＴ１１として売上点数を“１”とし、売上金額を単価として、商品コード，商品名，単価，売上点数及び売上金額からなる商品販売データを生成する。そして、この商品販売データを商品アイテムバッファ４１に追加する（商品販売データ追加手段）。また、ＳＴ１２として商品アイテムバッファ４１に記憶された各商品販売データの売上点数及び売上金額をそれぞれ加算し、合計点数及び合計金額（小計額）を算出して、商品アイテムバッファ４１の合計エリアを更新する。そして、ＳＴ１３としてオペレータ用ディスプレイ１９及び客用ディスプレイ２１に商品名，単価，小計額等を表示させる。また、ＳＴ１４としてブザー２６に駆動信号を送出して、商品読取確定音を鳴動させる。
【００２５】
その後、ＣＰＵ１１は、ＳＴ１５として取消キー３２が操作入力されたか否かを判断する。取消キー３２が操作入力されていない場合には、ＳＴ１６として締めキー３１が操作入力されたか否かを判断する。締めキー３１も操作入力されていない場合には、ＳＴ３の処理に戻り、次の電子タグデータを受信するのを待機する。
【００２６】
取消キー３２が操作入力された場合には、入力モードから取消モードへの切換えが指令されたので、ＣＰＵ１１は、ＳＴ１７として取引フラグを“１”にセットする（モード切換手段）。また、ＳＴ１８として電子タグデータバッファ４２内の電子タグデータを全てクリアする（電子タグデータクリア手段）。その後、ＳＴ３の処理に戻り、次の電子タグデータを受信するのを待機する。
【００２７】
締めキー３１が操作入力された場合には、ＣＰＵ１１は、ＳＴ１９として商品アイテムバッファ４１に記憶された商品販売データに基づいて１商取引を決済させる締め処理を行う（締め処理手段）。この締め処理は、商取引の合計金額に対して代金が支払われると、釣銭額を算出し、オペレータ用ディスプレイ１９，客用ディスプレイ２１に表示させるとともに、ドロワ２５を開放動作させる処理を含む。また、プリンタ２３を駆動して、商品アイテムバッファ４１に記憶された商品名，売上点数，売上金額や合計点数，合計金額等の商取引明細データが印字されたレシートを発行する処理を含む。
【００２８】
かかる締め処理が終了すると、ＣＰＵ１１は、ＳＴ２０として商品アイテムバッファ４１内の商品販売データを全てクリアする（商品販売データクリア手段）。このとき、電子タグデータバッファ４２内の電子タグデータはクリアしない。
【００２９】
しかる後、ＣＰＵ１１は、ＳＴ２１として取消フラグを調べる。この場合、取消フラグは“０”にリセットされているので、ＳＴ３の処理に進み、次の電子タグデータを受信するのを待機する。
【００３０】
ＳＴ９にて取消フラグが“１”にセットされていた場合には、取消モードにおいて商品タグのデータが読取られたので、ＣＰＵ１１は、図６の流れ図に示す処理に進む。すなわち、ＳＴ３１としてその電子タグデータに含まれる商品コードを検索キーとして商品アイテムバッファ４１を検索する。その結果、検索キーと同一の商品コードを有するレコード（商品販売データ）を検出したならば（ＳＴ３２のＹＥＳ）、ＣＰＵ１１は、ＳＴ３３としてこの検索キーと同一の商品コードを有する商品アイテムバッファ４１のレコードに取消情報（例えば１１）をセットする。また、ＳＴ３４としてオペレータ用ディスプレイ１９及び客用ディスプレイ２１に表示されている当該レコードの商品名を取消表示する。例えば、商品名を白黒反転で表示する。あるいは、商品名に二重取消線を重ねて表示する。なお、取消表示の方法はこれに限定されるものではなく、オペレータが取消商品であることが把握できればそれでよい。
【００３１】
次に、ＣＰＵ１１は、ＳＴ３５として取消キー３２が再度操作入力されたか否かを判断する。取消キー３２が操作入力されていない場合には、ＳＴ３９として締めキー３１が操作入力されたか否かを判断する。締めキー３１も操作入力されていない場合には、ＳＴ４０として次の電子タグデータを受信するのを待機する。
【００３２】
次の電子タグデータを受信した場合には（ＳＴ４０のＹＥＳ）、ＣＰＵ１１は、ＳＴ４１として電子タグデータバッファ４２を検索する。そして、受信した電子タグデータと同一のデータが電子タグデータバッファ４２に記憶されているか否かを判断する。その結果、同一データ有りと判断した場合には（ＳＴ４２のＹＥＳ）、ＣＰＵ１１は、ＳＴ４３として受信した電子タグデータを電子タグデータバッファ４２に追加せず、破棄する。しかる後、ＳＴ３５の処理に戻り、取消キー３２が操作入力されるか、締めキー３１が操作入力されるか、次の電子タグデータを受信するのを待機する。
【００３３】
これに対し、同一データ無しと判断した場合には（ＳＴ４２のＮＯ）、ＳＴ３１の処理に戻る。すなわち、その電子タグデータに含まれる商品コードを検索キーとして商品アイテムバッファ４１を検索する。その結果、検索キーと同一の商品コードを有するレコードを検出したならば、この検索キーと同一の商品コードを有する商品アイテムバッファ４１のレコードに取消情報をセットする。また、オペレータ用ディスプレイ１９及び客用ディスプレイ２１に表示されている当該レコードの商品名を取消表示する。
【００３４】
ＳＴ３５にて取消キー３２の操作入力を検知した場合には、商品取消の確認操作がなされたので、ＣＰＵ１１は、ＳＴ３６として商品アイテムバッファ４１に記憶されている各レコードのうち取消情報がセットされたレコードの取消処理を行う（商品販売データ取消手段）。しかる後、商品アイテムバッファ４１に記憶された各商品販売データの売上点数及び売上金額をそれぞれ加算し、合計点数及び合計金額（小計額）を再度算出して、商品アイテムバッファ４１の合計エリアを更新する。そして、オペレータ用ディスプレイ１９及び客用ディスプレイ２１に小計額を表示させる。また、ＳＴ３８としてブザー２６に駆動信号を送出して、前記商品読取確定音とは異なる取消確定音を鳴動させる。その後、ＳＴ３９に進み、締めキー３１が操作入力されるか、次の電子タグデータが読取られるのを待機する。
【００３５】
なお、ＳＴ３２にて検索キーである商品コードと同一の商品コードを有するレコードを検出できなかった場合には（ＳＴ３２のＮＯ）、ＣＰＵ１１は、ＳＴ４４としてオペレータ用ディスプレイ１９のみに取消不可のメッセージを表示させる。また、ＳＴ４５として電子タグデータバッファ４２から最新の電子タグデータを削除する。その後、締めキー３１が操作入力されるか、次の電子タグデータが読取られるのを待機する。
【００３６】
ＳＴ３９にて締めキー３１が操作入力された場合には、図５におけるＳＴ１９の処理に進む。すなわち、商品アイテムバッファ４１に記憶された商品販売データに基づいて１商取引を決済させる締め処理を行う（締め処理手段）。かかる締め処理が終了すると、ＣＰＵ１１は、商品アイテムバッファ４１内の商品販売データをクリアする（商品販売データクリア手段）。しかる後、ＣＰＵ１１は、取消フラグを調べる。この場合、取消フラグは“１”にセットされているので、ＳＴ２に戻り、取消フラグを“０”にリセットすることで、取消モードから入力モードに切換える（モード切換手段）。その後、ＳＴ３の処理に進み、次の電子タグデータを受信するのを待機する。
【００３７】
このように本実施の形態においては、ＰＯＳ端末１の電源投入により、電子タグリーダ２のアンテナ４からは、電子タグを読取るための読取電波が連続して発信されている。また、通常は取消フラグが“０”にリセットされており、動作モードとして入力モードが選択されている。ここで、アンテナ４の交信領域内に電子タグが入ると、この電子タグのメモリに記憶されている電子タグデータが電子タグリーダ２によって非接触で読取られ、ＰＯＳ端末１に送信される。
【００３８】
今、客が例えば１０品目の商品６Ａ，６Ｂ，６Ｃ，…を購入するために、ＰＯＳ端末１が設置された会計場所に来たとする。この場合、会計担当の店員いわゆるキャッシャは、各商品６Ａ，６Ｂ，６Ｃ，…をタグアンテナ板３の上に載置する。そうすると、各商品６Ａ，６Ｂ，６Ｃ，…にそれぞれ付されている電子タグ７Ａ，７Ｂ，７Ｃ，…は、アンテナ４からの読取電波に応答して、それぞれＩＤコードと商品コードとを含む電子タグデータの応答電波を発信する。
【００３９】
例えば、商品６Ａに付された電子タグ７Ａからの応答電波をアンテナ４で受信すると、この電子タグ７Ａに記憶されているＩＤコードと商品コードを含む電子タグデータが電子タグリーダで読取られ、ＰＯＳ端末１に送り込まれる。これにより、ＰＯＳ端末１においては、当該電子タグデータ中のＩＤコードを含む電子タグデータが電子タグデータバッファ４２に記憶されているか否かが判断される。そして、記憶されていない場合には、当該電子タグデータが電子タグデータバッファ４２に追加される。また、この電子タグデータ中の商品コードに基づいて当該商品Ａの商品名，単価が取得され、商品販売データが生成される。そして、この商品販売データが商品アイテムバッファ４１に格納される。なお、商品アイテムバッファ４１は、直前の客の締め処理後にクリアされている。
【００４０】
次に、商品６Ｂに付された電子タグ７Ｂからの応答電波をアンテナ４で受信すると、この電子タグ７Ｂに記憶されているＩＤコードと商品コードを含む電子タグデータが電子タグリーダで読取られ、ＰＯＳ端末１に送り込まれる。これにより、ＰＯＳ端末１においては、当該電子タグデータ中のＩＤコードを含む電子タグデータが電子タグデータバッファ４２に記憶されているか否かが判断される。そして、記憶されていない場合には、当該電子タグデータが電子タグデータバッファ４２に追加される。また、この電子タグデータ中の商品コードに基づいて当該商品Ｂの商品名，単価が取得され、商品販売データが生成される。そして、この商品販売データが商品アイテムバッファ４１に格納される。
【００４１】
その他の８品目の商品６Ｃ，…に付された電子タグ７Ｃ，…からの応答電波をアンテナ４で受信した場合も同様である。その後、キャッシャが締めキー３１を操作入力すると、商品アイテムバッファ４１に記憶された各商品６Ａ，６Ｂ，６Ｃ，…の各商品販売データに基づいて締め処理が行われる。そして締め処理後、商品アイテムバッファ４１がクリアされる。これにより、次の客の会計処理が可能となる。
【００４２】
ただしこの時点において、電子タグデータバッファ４２はクリアされず、各商品６Ａ，６Ｂ，６Ｃ，…にそれぞれ付された電子タグ７Ａ，７Ｂ，７Ｃ，…の電子タグデータは、電子タグデータバッファ４２で記憶保持されたままとなる。このため、決済を終えた直前の客の買上商品が電子タグリーダ２の近くにあっても、この商品に付されている電子タグのデータは破棄される。したがって、次の客の会計処理をスムーズに実行することができる。
【００４３】
ところで、本実施の形態では、キーボード１７に取消キー３２を設けている。そして、この取消キー３２が操作入力された場合には、取消フラグを“１”にセットして動作モードを取消モードに切換えるとともに、電子タグデータバッファ４２をクリアするものとなっている。なお、このとき、商品アイテムバッファ４１に記憶されている商品販売データはクリアされない。
【００４４】
そこで、例えば１０品目の商品６Ａ，６Ｂ，６Ｃ，…の電子タグデータが電子タグデータバッファ４２に記憶されているとともに、当該各商品６Ａ，６Ｂ，６Ｃ，…の商品販売データが商品アイテムバッファ４１に記憶されている状態において、キャッシャが締めキー３１を操作する前に、客が一部の商品、例えば商品６Ｃの購入取り止めを申し出た場合、キャッシャは、タグアンテナ板３から全ての商品６Ａ，６Ｂ，６Ｃ，…を退けた後、取消キー３２を操作入力する。
【００４５】
そうすると、電子タグデータバッファ４２内の全ての電子タグデータがクリアされる。そこで店員は、タグアンテナ板３から退けた１０品目の商品の中から客が購入を取り止めた商品６Ｃを取り出し、タグアンテナ板３の上に載せる。そうすると、この商品６Ｃに付されている電子タグ７Ｃの電子タグデータが電子タグリーダ２によって読取られる。このとき、電子タグ７Ｃの電子タグデータは、電子タグデータバッファ４２内に存在しないので、電子タグ７Ｃの電子タグデータは、新たに電子タグデータバッファ４２に格納される。これにより、この格納された電子タグデータに基づいて、商品アイテムバッファ４１に記憶されている商品６Ｃの商品販売データに取消情報が付加される。また、オペレータ用ディスプレイ１９及び客用ディスプレイ２１に表示されている商品６Ｃの商品名が取消表示される。
【００４６】
そこで店員は、商品６Ｃの商品名が取消表示されていることを確認した後、取消キー３２を再度操作入力する。そうすると、商品アイテムバッファ４１から商品６Ｃの商品販売データが削除される。また、１０品目の商品６Ａ，６Ｂ，６Ｃ，…のうち商品６Ｃを除いた客買上商品の小計金額がオペレータ用ディスプレイ１９及び客用ディスプレイ２１に表示される。その後、締めキー３１を操作入力すると、商品アイテムバッファ４１に記憶された９品目の商品６Ａ，６Ｂ，６Ｄ，…の各商品販売データに基づいて締め処理が行われる。
【００４７】
このように、客が買上商品をチェックアウトカウンタのタグアンテナ板３に載せた後でその中の一部の商品の購入を取止めることを申し出た場合、本実施の形態では、その客買上商品全品をタグアンテナ板３から退けた後、購入を取り止める商品を再度タグアンテナ板３に載せて取消キー３２を操作入力する。この際、実際に購入する商品の電子タグデータは既に商品アイテムバッファ４１に記憶されているので、再読込みをさせる必要はない。電子タグデータは１点ずつ時系列的に読取られる。このため、再読込みが必要な商品の数が減れば減るほど、つまりは多くの商品を購入しようとした客が１〜２点程度の商品の購入を取り止めるような場合に、本実施の形態は処理効率を向上させることができる。
【００４８】
また一般に、バーコードの読取操作等により商品コードを１品ずつ入力する形式の既存の商品販売データ処理装置においては、直前に入力した商品を取消す際には直前取消キーを操作入力すればよいが、直前に入力した商品以外の商品を取消す指定取消の場合には、指定取消キーの操作入力とともに取消す商品を指定するバーコード等の入力を行う必要があり、手間のかかるものであった。これに対して本実施の形態では、前述した操作を行えばよいので、操作が単純で効率的であり、また覚えやすく、アルバイト等の経験の少ないキャッシャでもミスなく操作できる利点がある。
【００４９】
なお、前記実施の形態では、受信した電子タグデータと同一のデータが電子タグデータバッファ４２に記憶されているか否かを判断する処理として、受信した電子タグデータに含まれるタグ固有のＩＤコードで電子タグデータバッファ４２を検索し、同一のＩＤコードを含む電子タグデータの有無を判断するものとしたが、電子タグリーダ２で読取られる電子タグが商品タグに限定される運用である場合においては、受信した電子タグデータに含まれるＩＤコードと商品コードで電子タグデータバッファ４２を検索し、同一のＩＤコード及び商品コードを含む電子タグデータの有無を判断するものとしてもよい。
【００５０】
また、前記実施の形態では、ＰＯＳ端末のＲＡＭ１３に電子タグデータバッファ４２を形成するものとしたが、電子タグリーダ２に電子タグデータバッファ４２を形成し、電子タグリーダ２において電子タグデータの二重読取りを防止するようにしてもよい。
【００５１】
また、前記実施の形態では、入力モードから取消モードへの切替を指令するキーとして取消キー３２を用いるとともに、この取消キー３２を取消表示された商品の確認用キーとしても兼用したが、取消モードへの切換えキーとしての機能と確認用キーとしての機能をそれぞれ異なるキーに設定してもよい。また、確認用キーの入力を待たずに商品販売データの取消処理を行うことによって、確認用キーを省略することも可能である。  
この他、本発明の要旨を逸脱しない範囲で種々変形実施可能であるのは勿論である。
【図面の簡単な説明】
【００５２】
【図１】本発明の一実施の形態を示すシステム構成図。
【図２】同実施の形態におけるＰＯＳ端末の要部構成を示すブロック図。
【図３】同ＰＯＳ端末のＲＡＭに形成される商品アイテムバッファのエリア構造を示す模式図。
【図４】同ＰＯＳ端末のＲＡＭに形成される電子タグデータバッファのエリア構造を示す模式図。
【図５】同ＰＯＳ端末のＣＰＵが実行する制御処理の要部手順を示す流れ図。
【図６】同ＰＯＳ端末のＣＰＵが実行する制御処理の要部手順を示す流れ図。
【符号の説明】
【００５３】
１…ＰＯＳ端末、２…電子タグリーダ、３…タグアンテナ板、４…アンテナ、６Ａ，６Ｂ，６Ｃ…商品、７Ａ，７Ｂ，７Ｃ…電子タグ、１１…ＣＰＵ、３１…締めキー、３２…取消キー、４１…商品アイテムバッファ、４２…電子タグデータバッファ。
【図１】
0004796863.tif 000002
【図２】
0004796863.tif 000003
【図３】
0004796863.tif 000004
【図４】
0004796863.tif 000005
【図５】
0004796863.tif 000006
【図６】
0004796863.tif 000007